(57)【要約】【課題】復号処理の処理量を低減することができるようにする。【解決手段】復号処理部１−１〜１−４は、飛び越し走査画像が符号化されている符号化信号の中から、ＴＯＰフィールドが符号化されている符号化信号だけを抽出して、ＢＯＴＴＯＭフィールドが符号化されている符号化信号の間引き処理を行う符号化信号間引き部１１と、符号化信号間引き部１１により抽出されたＴＯＰフィールドの符号化信号を復号して、ＴＯＰフィールドの復号画像を生成する画像復号部１２と、画像復号部１２により生成されたＴＯＰフィールドの復号画像を縮小して、その復号画像の縮小画像を生成する画像縮小部１３とを備える。【選択図】図１
2013247509.tif 000002
【特許請求の範囲】
【請求項１】
飛び越し走査画像が符号化されている符号化信号の中から、第１のフィールドが符号化されている符号化信号だけを抽出して、第２のフィールドが符号化されている符号化信号の間引き処理を行う符号化信号間引き手段と、
上記符号化信号間引き手段により抽出された第１のフィールドの符号化信号を復号して、第１のフィールドの復号画像を生成する画像復号手段と、
上記画像復号手段により生成された第１のフィールドの復号画像を縮小して、上記復号画像の縮小画像を生成する画像縮小手段と
を有する複数の復号処理手段と、
上記複数の復号処理手段により生成された縮小画像を合成して、その合成画像を生成する画像合成手段と
を備えた画像復号装置。
【請求項２】
画像復号手段は、符号化信号間引き手段により抽出された第１のフィールド内の或るブロックが第２のフィールドの復号画像を参照している場合、復号済みの復号画像の中で、上記第１のフィールドと最も時刻が近い復号画像を特定し、上記ブロックと同じ位置にある上記復号画像内のブロックを用いて、上記第１のフィールドの復号画像を補間することを特徴とする請求項１記載の画像復号装置。
【請求項３】
画像復号手段は、符号化信号間引き手段により抽出された第１のフィールド内の或るブロックが第２のフィールドの復号画像を参照している場合、復号済みの復号画像の中で、上記第１のフィールドと最も時刻が近い復号画像を特定するとともに、上記ブロックの符号化情報から参照位置を算出し、上記参照位置にある上記復号画像内のブロックを用いて、上記第１のフィールドの復号画像を補間することを特徴とする請求項１記載の画像復号装置。
【請求項４】
飛び越し走査画像の画像信号の中から、第１のフィールドの画像信号だけを抽出して、第２のフィールドの画像信号の間引き処理を行う画像信号間引き手段と、
上記画像信号間引き手段により抽出された第１のフィールドの画像信号を符号化する画像符号化手段と
備えた画像符号化装置。
【発明の詳細な説明】
【技術分野】
【０００１】
この発明は、飛び越し走査画像の画像信号を符号化する画像符号化装置と、飛び越し走査画像が符号化されている符号化信号を復号する画像復号装置とに関するものである。
【背景技術】
【０００２】
近年、動画像を圧縮して符号化する技術が広く用いられている。
動画像の符号化方式としては、例えば、ＤＶＤ（Ｄｉｇｉｔａｌ  Ｖｅｒｓａｔｉｌｅ  Ｄｉｓｋ）−ＶＩＤＥＯに採用されているＭＰＥＧ−２（Ｍｏｖｉｎｇ  Ｐｉｃｔｕｒｅ  Ｅｘｐｅｒｔ  Ｇｒｏｕｐ）方式や、携帯端末向けの地上デジタル放送（ワンセグ放送）やＢｌｕ−ｒａｙ  Ｄｉｓｋに採用されているＨ．２６４／ＭＰＥＧ−４ＡＶＣ方式などがある。
【０００３】
従来の画像復号装置では、例えば、復号画像の縮小画像を表示する場合、画像符号化装置から符号化ストリームを入力すると、その符号化ストリームに対する復号処理を実施して復号画像を生成し、その復号画像から縮小画像を生成するのが一般的である。
【０００４】
以下の特許文献１には、フレーム単位の画像を構成している画素の中から、水平方向又は垂直方向の画素の間引き処理を実施して縮小画像を生成し、縮小画像毎にスライス符号化を実施して符号化ストリームを生成している画像符号化装置が開示されている。
ただし、複数の縮小画像のスライス符号化ストリームを合成するため、所定の前処理や、動きベクトルの制御等が必要である。
【先行技術文献】
【特許文献】
【０００５】
【特許文献１】特開２００８−０１１１９１号公報
【発明の概要】
【発明が解決しようとする課題】
【０００６】
従来の画像復号装置は以上のように構成されているので、復号画像の縮小画像を表示する場合でも、符号化ストリームに含まれている全ての符号化信号を復号して復号画像を生成する必要がある。このため、復号処理の処理量が多くなってしまう課題があった。
【０００７】
また、従来の画像符号化装置では、水平方向又は垂直方向の画素の間引き処理を実施して縮小画像を生成しているが、複数の縮小画像のスライス符号化ストリームを合成するため、所定の前処理や、動きベクトルの制御等が必要であるなどの課題があった。
【０００８】
この発明は上記のような課題を解決するためになされたもので、復号処理の処理量を低減することができる画像復号装置を得ることを目的とする。
また、この発明は、所定の前処理や、動きベクトルの制御等を行うことなく、縮小画像の画像信号を符号化することができるとともに、画像復号装置における復号処理の処理量を低減することができる画像符号化装置を得ることを目的とする。
【課題を解決するための手段】
【０００９】
この発明に係る画像復号装置は、飛び越し走査画像が符号化されている符号化信号の中から、第１のフィールドが符号化されている符号化信号だけを抽出して、第２のフィールドが符号化されている符号化信号の間引き処理を行う符号化信号間引き手段と、符号化信号間引き手段により抽出された第１のフィールドの符号化信号を復号して、第１のフィールドの復号画像を生成する画像復号手段と、画像復号手段により生成された第１のフィールドの復号画像を縮小して、その復号画像の縮小画像を生成する画像縮小手段とを有する複数の復号処理手段を設け、画像合成手段が、複数の復号処理手段により生成された縮小画像を合成して、その合成画像を生成するようにしたものである。
【発明の効果】
【００１０】
この発明によれば、飛び越し走査画像が符号化されている符号化信号の中から、第１のフィールドが符号化されている符号化信号だけを抽出して、第２のフィールドが符号化されている符号化信号の間引き処理を行う符号化信号間引き手段と、符号化信号間引き手段により抽出された第１のフィールドの符号化信号を復号して、第１のフィールドの復号画像を生成する画像復号手段と、画像復号手段により生成された第１のフィールドの復号画像を縮小して、その復号画像の縮小画像を生成する画像縮小手段とを有する複数の復号処理手段を設け、画像合成手段が、複数の復号処理手段により生成された縮小画像を合成して、その合成画像を生成するように構成したので、復号処理の処理量を低減することができる効果がある。
【図面の簡単な説明】
【００１１】
【図１】この発明の実施の形態１による画像復号装置を示す構成図である。
【図２】ＢＯＴＴＯＭフィールドが符号化されている符号化信号の間引き処理を示す説明図である。
【図３】ＴＯＰフィールドのブロックがＢＯＴＴＯＭフィールドの復号画像を参照している場合の復号画像の補間例を示す説明図である。
【図４】ＴＯＰフィールドの復号画像を水平方向に縮小する例を示す説明図である。
【図５】縮小画像合成部１４による縮小画像の合成例を示す説明図である。
【図６】ＴＯＰフィールドのブロックがＢＯＴＴＯＭフィールドの復号画像を参照している場合の復号画像の補間例を示す説明図である。
【図７】この発明の実施の形態３による画像符号化装置を示す構成図である。
【図８】飛び越し走査の画像信号からＢＯＴＴＯＭフィールドの画像信号の間引き処理を示す説明図である。
【発明を実施するための形態】
【００１２】
実施の形態１．
図１はこの発明の実施の形態１による画像復号装置を示す構成図である。
図１において、復号処理部１−１〜１−４は例えばＣＰＵを実装している半導体集積回路、あるいは、ワンチップマイコンなどから構成されており、画像符号化装置から符号化信号（飛び越し走査画像が符号化されている符号化信号）を受けると、その符号化信号に対する間引き処理を実施してから復号処理を実施して復号画像を生成し、その復号画像の縮小画像を生成する処理を実施する。
復号処理部１−２〜１−４の内部構成は、復号処理部１−１の内部構成と同様であり、図１では省略している。
図１では、４つの復号処理部１が実装されている例を示しているが、これは一例に過ぎず、３つ以下、あるいは、５つ以上の復号処理部１が実装されていてもよい。
【００１３】
復号処理部１−１〜１−４の符号化信号間引き部１１は飛び越し走査画像が符号化されている符号化信号の中から、ＴＯＰフィールド（第１のフィールド）が符号化されている符号化信号だけを抽出して、ＢＯＴＴＯＭフィールド（第２のフィールド）が符号化されている符号化信号の間引き処理を行う。なお、符号化信号間引き部１１は符号化信号間引き手段を構成している。
【００１４】
復号処理部１−１〜１−４の画像復号部１２は符号化信号間引き部１１により抽出されたＴＯＰフィールドの符号化信号を復号して、ＴＯＰフィールドの復号画像を生成する処理を実施する。なお、画像復号部１２は画像復号手段を構成している。
復号処理部１−１〜１−４の画像縮小部１３は画像復号部１２により生成されたＴＯＰフィールドの復号画像を縮小して、その復号画像の縮小画像を生成する処理を実施する。
なお、画像縮小部１３は画像縮小手段を構成している。
【００１５】
縮小画像合成部１４は例えばＣＰＵを実装している半導体集積回路、あるいは、ワンチップマイコンなどから構成されており、復号処理部１−１〜１−４の画像縮小部１３により生成された縮小画像を合成して、その合成画像を生成する処理を実施する。なお、縮小画像合成部１４は画像合成手段を構成している。
【００１６】
図１では、画像復号装置の構成要素である復号処理部１−１〜１−４及び縮小画像合成部１４のそれぞれが専用のハードウェアで構成されているものを想定しているが、画像復号装置がコンピュータで構成されていてもよい。
画像復号装置がコンピュータで構成されている場合、復号処理部１−１〜１−４及び縮小画像合成部１４の処理内容を記述しているプログラムをコンピュータのメモリに格納し、当該コンピュータのＣＰＵが当該メモリに格納されているプログラムを実行するようにすればよい。
【００１７】
次に動作について説明する。
復号処理部１−１〜１−４の符号化信号間引き部１１は、飛び越し走査画像が符号化されている符号化信号を入力すると、その符号化信号の中から、ＴＯＰフィールドが符号化されている符号化信号だけを抽出して、ＢＯＴＴＯＭフィールドが符号化されている符号化信号の間引き処理を行う。
図２はＢＯＴＴＯＭフィールドが符号化されている符号化信号の間引き処理を示す説明図である。
【００１８】
ここで、符号化信号間引き部１１は、ＴＯＰフィールドが符号化されている符号化信号だけを抽出して、ＢＯＴＴＯＭフィールドが符号化されている符号化信号の間引き処理を行う際、入力された符号化信号が、ＴＯＰフィールドが符号化されている符号化信号であるのか、ＢＯＴＴＯＭフィールドが符号化されている符号化信号であるのかを判定する必要があるが、例えば、入力された符号化信号の符号化方式がＨ．２６４方式である場合、その符号化信号のスライスヘッダ内に格納されているフラグ（ｂｏｔｔｏｍ＿ｆｉｅｌｄ＿ｆｌａｇ）の値を参照することで判定することが可能である。
即ち、ｂｏｔｔｏｍ＿ｆｉｅｌｄ＿ｆｌａｇ＝０の場合、ＴＯＰフィールドが符号化されていることを示し、ｂｏｔｔｏｍ＿ｆｉｅｌｄ＿ｆｌａｇ＝１の場合、ＢＯＴＴＯＭフィールドが符号化されていることを示している。
【００１９】
画像復号部１２は、符号化信号間引き部１１からＴＯＰフィールドが符号化されている符号化信号を受けると、その符号化信号を復号して、ＴＯＰフィールドの復号画像を生成する。
ただし、画像復号部１２は、符号化信号間引き部１１から出力されたＴＯＰフィールドの符号化信号において、あるブロックがＢＯＴＴＯＭフィールドの復号画像を参照している場合、参照先の画像が存在しないため画像の補間を行う。
【００２０】
ここで、図３はＴＯＰフィールドのブロックがＢＯＴＴＯＭフィールドの復号画像を参照している場合の復号画像の補間例を示す説明図である。
例えば、図３に示すように、画像復号部１２がＴＯＰフィールド２の復号画像を生成する際、ＴＯＰフィールド２のブロックＢT2がＢＯＴＴＯＭフィールドの復号画像を参照している場合（図３の例では、ブロックＢBを参照している）、復号済みの復号画像（ＴＯＰフィールドの復号画像）の中で、ＴＯＰフィールド２と最も時刻が近い復号画像を特定する。
図３の例では、説明の便宜上、ＴＯＰフィールド１の復号画像が、ＴＯＰフィールド２と最も時刻が近い復号画像であると特定されるものとする。
画像復号部１２は、ＴＯＰフィールド２と最も時刻が近い復号画像として、ＴＯＰフィールド１の復号画像を特定すると、ブロックＢT2と同じ位置にあるＴＯＰフィールド１の復号画像内のブロックＢT1を用いて、ＴＯＰフィールド２の復号画像を補間する。
即ち、ＴＯＰフィールド２のブロックＢT2の復号画像として、ＴＯＰフィールド１のブロックＢT1を当て嵌めるようにする。
【００２１】
復号処理部１−１〜１−４の画像縮小部１３は、画像復号部１２がＴＯＰフィールドの復号画像を生成すると、その復号画像を縮小して、その復号画像の縮小画像を生成する。
ここで、図４はＴＯＰフィールドの復号画像を水平方向に縮小する例を示す説明図である。
図４の例では、ＴＯＰフィールドの復号画像を２×１のブロック単位に分割し、各々のブロックにおいて、右側に位置する画素（ｂ０〜ｂｎの画素）を間引いて、左側に位置する画素（ａ０〜ａｎの画素）だけを集めることで、水平方向を１／２に縮小している縮小画像を生成している。
【００２２】
図４の例では、右側に位置する画素（ｂ０〜ｂｎの画素）を間引いて、左側に位置する画素（ａ０〜ａｎの画素）だけを集める例を示しているが、各々のブロックにおいて、右側に位置する画素（ｂ０〜ｂｎの画素）と、左側に位置する画素（ａ０〜ａｎの画素）との平均値を算出し、その平均値の画素値を有する画素を集めることで、水平方向を１／２に縮小している縮小画像を生成するようにしてもよい。
また、右側に位置する画素（ｂ０〜ｂｎの画素）と、左側に位置する画素（ａ０〜ａｎの画素）との平均値ではなく、右側に位置する画素（ｂ０〜ｂｎの画素）と、左側に位置する画素（ａ０〜ａｎの画素）と、周辺の画素との平均値を算出し、その平均値の画素値を有する画素を集めることで、水平方向を１／２に縮小している縮小画像を生成するようにしてもよい。
【００２３】
縮小画像合成部１４は、復号処理部１−１〜１−４の画像縮小部１３が縮小画像を生成すると、それらの縮小画像を予め設定された位置に配置することで合成し、その合成画像を出力する。
ここで、図５は縮小画像合成部１４による縮小画像の合成例を示す説明図である。
図５の例では、復号処理部１−１により生成された縮小画像Ａを左上に配置し、復号処理部１−２により生成された縮小画像Ｂを右上に配置し、復号処理部１−３により生成された縮小画像Ｃを左下に配置し、復号処理部１−４により生成された縮小画像Ｄを右下に配置している。
これにより、入力された符号化信号と同じ解像度の合成画像を出力することが可能になる。
【００２４】
ここでは、縮小画像合成部１４が、予め設定された位置に縮小画像を配置することで合成するものを示したが、例えば、縮小画像の配置位置の指定を受け付けるインタフェースを備え、指定の位置に縮小画像を配置するようにしてもよい。
また、ここでは、縮小画像合成部１４が、元の解像度の縦横１／２の縮小画像を合成するものを示したが、元の解像度からの縦横の縮小率を任意に設定できるように構成してもよい。
【００２５】
以上で明らかなように、この実施の形態１によれば、飛び越し走査画像が符号化されている符号化信号の中から、ＴＯＰフィールドが符号化されている符号化信号だけを抽出して、ＢＯＴＴＯＭフィールドが符号化されている符号化信号の間引き処理を行う符号化信号間引き部１１と、符号化信号間引き部１１により抽出されたＴＯＰフィールドの符号化信号を復号して、ＴＯＰフィールドの復号画像を生成する画像復号部１２と、画像復号部１２により生成されたＴＯＰフィールドの復号画像を縮小して、その復号画像の縮小画像を生成する画像縮小部１３とを有する復号処理部１−１〜１−４を設け、縮小画像合成部１４が、復号処理部１−１〜１−４により生成された縮小画像を合成して、その合成画像を生成するように構成したので、復号処理の処理量を低減することができるとともに、縮小画像を合成した合成画像を容易に取得することができる効果を奏する。
即ち、符号化信号間引き部１１がＢＯＴＴＯＭフィールドが符号化されている符号化信号の間引き処理を実施してから、画像復号部１２が符号化信号の復号処理を実施しているので、復号処理の処理量を低減することができる。
【００２６】
実施の形態２．
上記実施の形態１では、画像復号部１２がＴＯＰフィールド２の復号画像を生成する際、ＴＯＰフィールド２のブロックＢT2がＢＯＴＴＯＭフィールドの復号画像を参照している場合、復号済みの復号画像（ＴＯＰフィールドの復号画像）の中で、ＴＯＰフィールド２と最も時刻が近い復号画像（ＴＯＰフィールド１の復号画像）を特定し、そのブロックＢT2と同じ位置にあるＴＯＰフィールド１の復号画像内のブロックＢT1を用いて、ＴＯＰフィールド２の復号画像を補間するものを示したが、ＴＯＰフィールド２のブロックＢT2の符号化情報から参照位置を算出し、その参照位置にあるＴＯＰフィールド１の復号画像内のブロックＢT1’を用いて、ＴＯＰフィールド２の復号画像を補間するようにしてもよい。
【００２７】
具体的には以下の通りである。
図６はＴＯＰフィールドのブロックＢT2がＢＯＴＴＯＭフィールドの復号画像を参照している場合の復号画像の補間例を示す説明図である。
画像復号部１２は、ＴＯＰフィールド２のブロックＢT2がＢＯＴＴＯＭフィールドの復号画像を参照している場合（図６の例では、ブロックＢBを参照している）、上記実施の形態１と同様に、復号済みの復号画像（ＴＯＰフィールドの復号画像）の中で、ＴＯＰフィールド２と最も時刻が近い復号画像（ＴＯＰフィールド１の復号画像）を特定する。
図６の例では、説明の便宜上、ＴＯＰフィールド１の復号画像が、ＴＯＰフィールド２と最も時刻が近い復号画像であると特定されているものとする。
【００２８】
画像復号部１２は、ＴＯＰフィールド２と最も時刻が近い復号画像として、ＴＯＰフィールド１の復号画像を特定すると、ＴＯＰフィールド２のブロックＢT2の符号化情報である動きベクトルを参照して、ＴＯＰフィールド２のブロックＢT2が参照しているＢＯＴＴＯＭフィールドのブロックＢBの位置を示す座標（ＸB，ＹB）を特定する。
画像復号部１２は、ＢＯＴＴＯＭフィールドのブロックＢBの位置を示す座標（ＸBB，ＹBB）を特定すると、下記の式（１）（２）によって、ＴＯＰフィールド２のブロックＢT2の補間に用いるＴＯＰフィールド１のブロックＢT1’の位置（参照位置）を示す座標（ＸBT1'，ＹBT1'）を算出する。
ただし、式（１）（２）は、ＴＯＰフィールド２とＴＯＰフィールド１との時間間隔が、ＴＯＰフィールド２とＢＯＴＴＯＭフィールド１との時間間隔の２倍となっている場合の計算式である。
【００２９】
ＸBT1'＝ＸBT2−２（ＸBT2−ＸBB）                    （１）
ＹBT1'＝ＹBT2−２（ＹBT2−ＹBB）＋１                （２）
式（１）（２）において、（ＸBT2，ＹBT2）は、ＴＯＰフィールド２のブロックＢT2の位置を示す座標である。
ＴＯＰフィールドとＢＯＴＴＯＭフィールドでは、飛び越し走査によって、１画素分だけ位相が異なっているため、式（２）で１画素を加えることで、その位相差を解消している。
【００３０】
画像復号部１２は、ＴＯＰフィールド２のブロックＢT2の補間に用いるＴＯＰフィールド１のブロックＢT1’の位置を示す座標（ＸBT1'，ＹBT1'）を算出すると、ＴＯＰフィールド２のブロックＢT2の復号画像として、ＴＯＰフィールド１のブロックＢT1’を当て嵌めることで、ＴＯＰフィールド２の復号画像を補間する。
【００３１】
以上で明らかなように、この実施の形態２によれば、ＴＯＰフィールド２のブロックＢT2がＢＯＴＴＯＭフィールドの復号画像を参照している場合、復号済みの復号画像（ＴＯＰフィールドの復号画像）の中で、ＴＯＰフィールド２と最も時刻が近い復号画像（ＴＯＰフィールド１の復号画像）を特定するとともに、ＴＯＰフィールド２のブロックＢT2の符号化情報から参照位置を算出し、その参照位置にあるＴＯＰフィールド１の復号画像内のブロックＢT1’を用いて、ＴＯＰフィールド２の復号画像を補間するように構成したので、ＴＯＰフィールド２のブロックＢT2がＢＯＴＴＯＭフィールドの復号画像を参照している場合でも、自然な復号画像を取得することができる効果を奏する
【００３２】
この実施の形態２では、ＴＯＰフィールド１のブロックＢT1’を用いて、ＴＯＰフィールド２の復号画像を補間するものを示したが、ＴＯＰフィールド１のブロックＢT1’を参照画像とし、その参照画像と、符号化信号を復号して得られる予測差分値とを加算して、復号画像を生成するように構成してもよい。
【００３３】
実施の形態３．
図７はこの発明の実施の形態３による画像符号化装置を示す構成図である。
図７において、画像信号間引き部２１は例えばＣＰＵを実装している半導体集積回路、あるいは、ワンチップマイコンなどから構成されており、飛び越し走査画像の画像信号の中から、ＴＯＰフィールド（第１のフィールド）の画像信号だけを抽出して、ＢＯＴＴＯＭフィールド（第２のフィールド）の画像信号の間引き処理を行う。なお、画像信号間引き部２１は画像信号間引き手段を構成している。
画像符号化部２２は例えばＣＰＵを実装している半導体集積回路、あるいは、ワンチップマイコンなどから構成されており、画像信号間引き部２１により抽出されたＴＯＰフィールドの画像信号を符号化する処理を実施する。なお、画像符号化部２２は画像符号化手段を構成している。
【００３４】
図７では、画像符号化装置の構成要素である画像信号間引き部２１及び画像符号化部２２のそれぞれが専用のハードウェアで構成されているものを想定しているが、画像符号化装置がコンピュータで構成されていてもよい。
画像符号化装置がコンピュータで構成されている場合、画像信号間引き部２１及び画像符号化部２２の処理内容を記述しているプログラムをコンピュータのメモリに格納し、当該コンピュータのＣＰＵが当該メモリに格納されているプログラムを実行するようにすればよい。
【００３５】
次に動作について説明する。
画像信号間引き部２１は、飛び越し走査画像の画像信号を入力すると、その画像信号の中から、ＴＯＰフィールドの画像信号だけを抽出して、ＢＯＴＴＯＭフィールドの画像信号の間引き処理を行う。
ここで、図８は飛び越し走査の画像信号からＢＯＴＴＯＭフィールドの画像信号の間引き処理を示す説明図である。
この間引き処理によって、垂直方向の解像度が元の解像度の半分の画像（縮小画像）の画像信号そのものになるため、縮小画像を生成する際に、所定の前処理や、動きベクトルの制御等は不要である。
【００３６】
画像符号化部２２は、画像信号間引き部２１からＴＯＰフィールドの画像信号を受けると、ＴＯＰフィールドの画像信号を順次走査画像信号として、その画像信号の符号化処理を実施し、その画像信号の符号化信号を出力する。
画像符号化装置から出力された符号化信号は画像復号装置に入力されるが、この符号化信号は、飛び越し走査の画像信号からＢＯＴＴＯＭフィールドの画像信号が間引かれているものであるため、画像復号装置において、図１の符号化信号間引き部１１を省略することができる。
【００３７】
以上で明らかなように、この実施の形態３によれば、飛び越し走査画像の画像信号の中から、ＴＯＰフィールドの画像信号だけを抽出して、ＢＯＴＴＯＭフィールドの画像信号の間引き処理を行う画像信号間引き部２１を設け、画像符号化部２２が、画像信号間引き部２１により抽出されたＴＯＰフィールドの画像信号を符号化するように構成したので、所定の前処理や、動きベクトルの制御等を行うことなく、縮小画像の画像信号を符号化することができるとともに、画像復号装置における復号処理の処理量を低減することができる効果を奏する。
また、ＢＯＴＴＯＭフィールドの画像信号の間引き処理を行ってから符号化処理を実施しているので、符号化処理の処理量を低減することができるとともに、符号化信号のサイズを小さくすることができる効果を奏する。
【００３８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３９】
１−１〜１−４  復号処理部、１１  符号化信号間引き部（符号化信号間引き手段）、１２  画像復号部（画像復号手段）、１３  画像縮小部（画像縮小手段）、１４  縮小画像合成部（画像合成手段）、２１  画像信号間引き部（画像信号間引き手段）、２２  画像符号化部（画像符号化手段）。
【図１】
2013247509.tif 000003
【図２】
2013247509.tif 000004
【図３】
2013247509.tif 000005
【図４】
2013247509.tif 000006
【図５】
2013247509.tif 000007
【図６】
2013247509.tif 000008
【図７】
2013247509.tif 000009
【図８】
2013247509.tif 000010